(57)【要約】第１の流体用容器（２８）と第２の流体用容器との間の流体の移送を可能にするためのコネクタ（１０）であって、このコネクタ（１０）は、第１の流体用容器（２８）に連結されるように構成された第１の構成要素（１２）と、第２の流体用容器に連結されるように構成された第２の構成要素（１４）とを備える。第１の構成要素（１２）は、第２の流体用容器が前記第２の構成要素（１４）に連結される前には、かつ／または第１の流体用容器（２８）が第１の構成要素（１２）に連結される前には、前記第２の構成要素（１４）に回転不能に連結されるように構成されている。コネクタ（１０）はロック／回転可能化要素（１６）を備え、そのロック／回転可能化要素（１６）は、第２の流体用容器が前記第２の構成要素（１４）に連結されると、かつ／または第１の流体用容器（２８）が第１の構成要素（１２）に連結されると、作動するように構成されており、そのロック／回転可能化要素（１６）により、第１の構成要素（１２）と第２の構成要素（１４）とが互いに対して自由に回転可能になる。
2013526398.tif 000002
【特許請求の範囲】
【請求項１】
第１の流体用容器（２８）と第２の流体用容器との間の流体の移送を可能にするためのコネクタ（１０）であって、このコネクタ（１０）は、前記第１の流体用容器（２８）に連結されるように構成された第１の構成要素（１２）と、第２の流体用容器に連結されるように構成された第２の構成要素（１４）とを備え、前記第１の構成要素（１２）は、第２の流体用容器が前記第２の構成要素（１４）に連結される前には、かつ／または第１の流体用容器（２８）が前記第１の構成要素（１２）に連結される前には、前記第２の構成要素（１４）、または前記第２の構成要素（１４）の一部分に、および第１の流体用容器（２８）に、回転不能に連結されるように構成されている、コネクタ（１０）において、
前記コネクタ（１０）はロック／回転可能化要素（１６）を備え、前記ロック／回転可能化要素（１６）は、第２の流体用容器が前記第２の構成要素（１４）に連結されると、かつ／または第１の流体用容器（２８）が前記第１の構成要素（１２）に連結されると作動するように構成されており、前記ロック／回転可能化要素（１６）により、前記第１の構成要素（１２）と前記第２の構成要素（１４）とは互いに対して自由に回転可能になることを特徴とするコネクタ（１０）。
【請求項２】
前記第１の構成要素（１２）または前記第２の構成要素（１４）のうちの一方は、前記第１の構成要素（１２）を前記第２の構成要素（１４）に回転不能に連結させるために、前記第１の構成要素もしくは前記第２の構成要素（１４）の他方または前記ロック／回転可能化要素（１６）の少なくとも１つの対応するキャビティ（２０）内に配置されるように構成されている少なくとも１つの突出部（１８ｂ）を備え、前記ロック／回転可能化要素（１６）は、前記少なくとも１つの突出部（１８ｂ）を前記少なくとも１つの対応するキャビティ（２０）の外に押し出すように構成されており、前記少なくとも１つの突出部（１８ｂ）が前記少なくとも１つの対応するキャビティ（２０）の外に押し出されるときは、前記第１の構成要素（１２）と前記第２の構成要素（１４）とは互いに対して自由に回転可能になることを特徴とする請求項１に記載のコネクタ（１０）。
【請求項３】
前記ロック／回転可能化要素（１６）は、前記少なくとも１つの突出部（１８ｂ）を前記少なくとも１つの対応するキャビティ（２０）の外に押し出し、少なくとも１つのスロット（２４）内に入れるように構成されており、前記少なくとも１つの突出部（１８ｂ）が前記少なくとも１つのスロット（２４）内に配置されるときは、前記第１の構成要素（１２）と前記第２の構成要素（１４）とは互いに対して自由に回転可能になることを特徴とする請求項２に記載のコネクタ１０。
【請求項４】
前記ロック／回転可能化要素（１６）は、前記第２の流体用容器が前記第２の構成要素（１４）に連結されるときに、かつ／または第１の流体用容器（２８）が前記第１の構成要素（１２）に連結されると自動で作動するように構成されていることを特徴とする前記請求項のいずれかに記載のコネクタ（１０）。
【請求項５】
前記ロック／回転可能化要素（１６）は、前記第２の流体用容器がその後前記第２の構成要素（１４）に連結されるときに、前記ロック／回転可能化要素（１６）が前記第２の流体用容器によって直接もしくは間接的に変位し、前記ロック／回転可能化要素（１６）の前記変位により、前記少なくとも１つの突出部（１８ｂ）が前記少なくとも１つのキャビティ（２０）の外に押し出されるときに、かつ／または前記第１の流体用容器（２８）がその後前記第１の構成要素（１２）に連結されるときに、前記ロック／回転可能化要素（１６）が前記第１の流体用容器（２８）によって直接もしくは間接的に変位し、前記ロック／回転可能化要素（１６）の前記変位により、前記少なくとも１つの突出部（１８ｂ）が前記少なくとも１つのキャビティ（２０）の外に押し出されるときに、自動で作動するように構成されていることを特徴とする請求項２または３に従属するときに請求項４に記載のコネクタ（１０）。
【請求項６】
前記ロック／回転可能化要素（１６）は、前記第２の流体用容器が前記第２の構成要素（１４）に連結された後で、かつ／または前記第１の流体用容器（２８）が前記第１の構成要素（１２）に連結されると、ユーザによる手作業で作動するように構成されていることを特徴とする請求項１から３のいずれかに記載のコネクタ（１０）。
【請求項７】
前記ロック／回転可能化要素（１６）は、前記第２の流体用容器が前記第２の構成要素（１４）に連結され、かつ／または前記第１の流体用容器（２８）が前記第１の構成要素（１２）に連結された後で、直接または間接的に前記ロック／回転可能化要素（１６）を変位させるユーザによる手作業で作動するように構成されており、前記ロック／回転可能化要素（１６）の前記変位により、前記少なくとも１つの突出部（１８ｂ）は前記少なくとも１つのキャビティ（２０）の外に押し出されることを特徴とする請求項２または３に従属するときに請求項６に記載のコネクタ（１０）。
【請求項８】
前記第１の構成要素（１２）を前記第２の構成要素（１４）または前記流体可能化要素（１６）に連結するスナップ嵌め機構（１７）を備えることを特徴とする前記請求項のいずれかに記載のコネクタ（１０）。
【請求項９】
前記第１の構成要素（１２）は前記第２の構成要素（１４）中にねじ込まれるように構成されていることを特徴とする前記請求項のいずれかに記載のコネクタ（１０）。
【請求項１０】
前記第１の構成要素（１２）は前記第２の構成要素（１４）中に摺動されるように構成されていることを特徴とする請求項１から８のいずれかに記載のコネクタ（１０）。
【請求項１１】
前記第２の構成要素（１４）および／または前記第１の構成要素（１２）はメンブレンを備えることを特徴とする前記請求項のいずれかに記載のコネクタ（１０）。
【請求項１２】
前記第１の流体用容器（２８）と前記第２の流体用容器との間に漏出しない液密の連結を確実に行うシーリング手段（１５）を備えることを特徴とする前記請求項のいずれかに記載のコネクタ（１０）。
【請求項１３】
前記請求項のいずれかに記載のコネクタ（１０）の一体形成された第１の構成要素（１２）を備えることを特徴とする流体用容器（２８）。
【発明の詳細な説明】
【技術分野】
【０００１】
本発明は、シリンジまたは針保護具など、第１の流体用容器と第２の流体用容器との間の流体の移送を可能にするためのコネクタに関する。本発明は、こうしたコネクタの少なくとも一部分を備える流体用容器にも関する。
【背景技術】
【０００２】
多くの医用コネクタがメス型のルアーロック要素を有する第１の構成要素を備えており、そうしたメス型のルアーロック要素は、例えば医用ラインに取り付けられた第２のコネクタ構成要素の対応するオス型のルアーロック要素にしっかりと接合されるように構成されている。したがって、オス型のルアーロック要素を、メス型のルアーロック要素中に自由にねじ込み、そこから抜き取ることができる。しかし、オス型のルアーロック要素がコネクタのメス型のルアーロック要素中にねじ込まれていると、コネクタ構成要素が偶発的にまたは意図せずに抜き取られることができるリスクがあり、それが、流体ラインの連結解除につながることがある。これは、患者および／または連結解除された医用コネクタの近くの任意の他の人にとって深刻な汚染のリスクを伴うことがある。このような連結解除のリスクは、細胞増殖抑制剤などの毒性の流体を投与するときは、特に避けなければならない。
【０００３】
一部の医用コネクタは、例えば医用ラインに連結されると連結解除できないように構成されている。このようなコネクタの不利な点は、医用ラインと第２の流体用容器との間の流体の移送を可能にするために、シリンジまたは針保護具など、第２の流体用容器がコネクタに固定されるときに医用ラインに望ましくないねじれが含まれる恐れがあることである。
【発明の概要】
【課題を解決するための手段】
【０００４】
本発明の一目的は、従来技術の欠点のうちの少なくとも１つを克服もしくは改善すること、または有用な代替形態を提供することである。本発明の他の目的は、第１の流体用容器と、シリンジまたは針保護具など、第２の流体用容器との間の流体の移送を可能にするための安全で信頼できるコネクタを提供することである。
【０００５】
これらの目的のうちの少なくとも１つは、第１の流体用容器に連結されるように構成された第１の構成要素と、第２の流体用容器に連結されるように構成された第２の構成要素とを備えるコネクタによって実現される。第１の構成要素は、第２の流体用容器が第２の構成要素に連結される前には、かつ／または第１の流体用容器が第１の構成要素に連結される前には、第２の構成要素、または第２の構成要素の一部分に、および第１の流体用容器に、回転不能に連結されるように構成されている。コネクタはロック／回転可能化要素を備え、そのロック／回転可能化要素は、第２の流体用容器が第２の構成要素に連結されると、かつ／または第１の流体用容器が第１の要素に連結されると作動するように構成されており、そのロック／回転可能化要素により、第１の構成要素と第２の構成要素とが互いに対して自由に回転可能になり、すなわち、一方向もしくは複数の方向に支障なく自由に回転可能になるか、または１回転の少なくとも一部もしくはさらに回転することが防止される前に任意の回転数だけ一方向または複数の方向に自由に回転可能になる。ロック／回転可能化要素が作動していると、第１の構成要素を第２の構成要素から偶発的にまたは意図せずに連結解除することが不可能になり、第１の構成要素と第２の構成要素とのロックは元に戻らない。本発明の代替的実施形態によれば、第１の構成要素は、ロック／回転可能化要素が作動していると第２の構成要素から連結解除可能になるように構成されており、第１の構成要素と第２の構成要素とのロックは逆にすることができる。
【０００６】
「ｆｉｒｓｔ  ｆｌｕｉｄ  ｃｏｎｔａｉｎｅｒ（第１の流体用容器）」および「ｓｅｃｏｎｄ  ｆｌｕｉｄ  ｃｏｎｔａｉｎｅｒ（第２の流体用容器）」という表現は、この書類で使用される場合、バイアル、医用ライン、チューブ、または輸液ボトルもしくは輸液バッグなどの輸液流体用容器、シリンジ、あるいは針保護用具など、少なくとも一時的に流体を収容できる任意の入れ物を意味するものである。「ａ  ｌｏｃｋｉｎｇ  ａｎｄ  ｒｏｔａｔｉｏｎ−ｅｎａｂｌｉｎｇ  ｅｌｅｍｅｎｔ  ｔｈａｔ  ｉｓ  ａｒｒａｎｇｅｄ  ｔｏ  ｂｅ  ａｃｔｉｖａｔｅｄ  ｏｎｃｅ  ａ  ｓｅｃｏｎｄ  ｆｌｕｉｄ  ｃｏｎｔａｉｎｅｒ  ｈａｓ  ｂｅｅｎ  ｃｏｎｎｅｃｔｅｄ  ｔｏ  ｔｈｅ  ｓｅｃｏｎｄ  ｃｏｍｐｏｎｅｎｔ  ａｎｄ／ｏｒ  ｏｎｃｅ  ａ  ｆｉｒｓｔ  ｆｌｕｉｄ  ｃｏｎｔａｉｎｅｒ  ｈａｓ  ｂｅｅｎ  ｃｏｎｎｅｃｔｅｄ  ｔｏ  ｔｈｅ  ｆｉｒｓｔ  ｃｏｍｐｏｎｅｎｔ（第２の流体用容器が第２の構成要素に連結されると、かつ／または第１の流体用容器が第１の構成要素に連結されると作動するように構成されているロックおよび回転を可能にするための要素（以下、ロック／回転可能化要素））」という表現は、ロック／回転可能化要素が、入れ物のうちの一方または両方がコネクタに連結されようとするときに作動するように構成されていることを意味するものである。例えば、ロック／回転可能化要素が、例えばコネクタの長手方向に特定の距離だけ線形に、非線形に、または回転式に変位したときに作動するように構成されている場合は、ロック／回転可能化要素を必要な距離だけ変位させるために、前記入れ物の一方もしくは両方の連結および／またはユーザによる手作業の作動が必要になるようにコネクタを構成することができる。
【０００７】
「ｌｏｃｋｉｎｇ  ａｎｄ  ｒｏｔａｔｉｏｎ−ｅｎａｂｌｉｎｇ  ｅｌｅｍｅｎｔ（ロック／回転可能化要素）」という表現が、単一の構成要素または複数の構成要素が第２の構成要素に対して第１の構成要素をロックするように、さらに回転可能にするように構成されていることを意味するものであることを留意されたい。
【０００８】
したがって、本発明によるコネクタの第１の構成要素と第２の構成要素とを、第２の流体用容器および／または第１の流体用容器がコネクタに連結されるまで互いに対して回転しないように互いに連結することができる。第２の流体用容器および／または第１の流体用容器の連結の際には、ロック／回転可能化要素が作動し、第１の構成要素と第２の構成要素とが互いに対して自由に回転できるようになる。自由に回転することは、解除不能な連結が行われたこと、すなわち、コネクタを破壊することなく、過剰な力を用いることなく、またはコネクタを誤用することなく、第１の構成要素と第２の構成要素とを分離することはできないことをユーザに明確に示すことになる。さらに、第１の流体用容器または第２の流体用容器の望ましくないねじれがあればそれを、コネクタの第１および／または第２の構成要素を回転させることによって補正することもできる。
【０００９】
本発明の一実施形態によれば、第１の構成要素または第２の構成要素のうちの一方は、第１の構成要素を第２の構成要素（またはその一部分）に回転不能に連結させるために、第１の構成要素もしくは第２の構成要素のうちの他方またはロック／回転可能化要素の少なくとも１つの対応するキャビティ内に配置されるように構成されている少なくとも１つの突出部を備える。ロック／回転可能化要素は、少なくとも１つの突出部を少なくとも１つの対応するキャビティの外に押し出すように構成されており、少なくとも１つの突出部が少なくとも１つの対応するキャビティの外に押し出されるときは、第１の構成要素と第２の構成要素とが互いに対して自由に回転可能になる。
【００１０】
本発明の別の実施形態によれば、ロック／回転可能化要素は、少なくとも１つの突出部を少なくとも１つの対応するキャビティの外に押し出し、少なくとも１つのスロット内に入れるように構成されており、少なくとも１つの突出部が少なくとも１つのスロット内に配置されるときは、第１の構成要素と第２の構成要素とが互いに対して自由に回転可能になる。
【００１１】
本発明の他の形態によれは、ロック／回転可能化要素は、第２の流体用容器および／または第１の流体用容器がコネクタに連結されるときに自動で作動するように構成されている。本発明の一実施形態によれば、ロック／回転可能化要素の構成は、第２の流体用容器および／または第１の流体用容器がその後コネクタに連結されるときに、ロック／回転可能化要素が第２の流体用容器および／または第１の流体用容器によって直接または間接的に変位し、ロック／回転可能化要素の変位により、少なくとも１つの突出部が少なくとも１つのキャビティの外に押し出されるときに、自動で作動するようになっている。
【００１２】
あるいは、本発明によるコネクタにおいては、ロック／回転可能化要素は、第２の流体用容器および／または第１の流体用容器がコネクタに連結された後で、ユーザによる手作業で作動するように構成されている。本発明の一実施形態によれば、ロック／回転可能化要素は、第２の流体用容器および／または第１の流体用容器がコネクタに連結された後で、直接または間接的にロック／回転可能化要素を変位させるユーザによる手作業で作動するように構成されており、ロック／回転可能化要素の変位により、少なくとも１つの突出部が少なくとも１つのキャビティの外に押し出される。
【００１３】
本発明の別の実施形態によれば、コネクタは、第１の構成要素を第２の構成要素に連結するスナップ嵌め機構を備える。スナップ嵌め機構は自己ロック式の継ぎ手であり、その嵌め合い部品はカム動作を行い、一方の部分が他方の部分の上にある隆起したリップを超えてスリップするまで湾曲して、それらの分離が防止される。
【００１４】
本発明の他の実施形態によれば、第１の構成要素は第２の構成要素中にねじ込まれるように構成されている。あるいは、第１の構成要素は第２の構成要素へ摺動するように構成されている。
【００１５】
本発明の一実施形態によれば、第１の構成要素および／または第２の構成要素はメンブレンを備える。第２の流体用容器または第１の流体用容器のメンブレンは、漏出のない流体の移送を実現するために、２重のメンブレンを形成するようにコネクタ構成要素のメンブレンに押し付けられることができ、次いで、針などの穿孔部材が２重のメンブレンを貫通することができる。
【００１６】
本発明の別の実施形態によれば、コネクタは、第１の流体用容器と第２の流体用容器との間に漏出しない液密の連結を確実に行うＯリングまたはガスケットなどのシーリング手段を備える。
【００１７】
本発明は、本発明の実施形態のいずれかによりコネクタの一体形成された第１の構成要素を備える流体用容器にも関する。しかし、本発明によるコネクタを、任意の流体用容器に連結されるように構成することができる。
【図面の簡単な説明】
【００１８】
添付の概略図を参照しながら非限定的な例を用いて、本発明を本明細書で以下にさらに説明する。
【図１】本発明の一実施形態によるコネクタの分解図である。
【図２】本発明の一実施形態によるコネクタのロック／回転可能化要素を示す図である。
【図３】本発明の一実施形態によるコネクタの第１の構成要素を示す図である。
【図４】第１の構成要素がロック／回転可能化要素に回転不能に連結されるところを示す図である。
【図５】第１の構成要素がロック／回転可能化要素に対して自由に回転できるようにロック／回転可能化要素に連結されるところを示す図である。
【図６】第１の構成要素がロック／回転可能化要素に対して自由に回転できるようにロック／回転可能化要素に連結されるところを示す図である。
【図７】第１の構成要素と第２の構成要素とが回転不能に連結された、本発明の一実施形態によるコネクタを示す図である。
【図８】第１の構成要素と第２の構成要素とが回転可能に連結された、本発明の一実施形態によるコネクタを示す図である。
【図９】本発明の異なる実施形態によるコネクタの第２の構成要素を示す図である。
【図１０】本発明の異なる実施形態によるコネクタの第２の構成要素を示す図である。
【図１１】本発明によるコネクタの構成要素を少なくとも１つ備える流体用容器を示す図である。
【図１２】本発明によるコネクタの構成要素を少なくとも１つ備える流体用容器を示す図である。
【発明を実施するための形態】
【００１９】
図面の縮尺は正確ではなく、明確にするために特定の特徴部の寸法を誇張していることに留意されたい。
【００２０】
図１に、第１の流体用容器と第２の流体用容器との間の流体の移送を可能にするためのコネクタ１０の分解図を示す。コネクタ１０は、第１の流体用容器に連結されるように構成された第１の構成要素１２と、第２の流体用容器に連結されるように構成された第２の構成要素１４をと備える。例示の実施形態における第１の構成要素１２および第２の構成要素１４は、チューブ状であり、少なくとも１つの流体用チャネル（図示せず）を備え、そのチャネルを通って流体がコネクタ中を流れることができる。コネクタ１０は、第１の流体用容器と第２の流体用容器との間に漏出しない液密の連結を確実に行うためにＯリング１５を備える。
【００２１】
第１の構成要素１２は、第２の流体用容器が第２の構成要素１４に連結される前には第２の構成要素１４および第１の流体用容器に回転不能に連結されるように構成されている。コネクタ１０はロック／回転可能化要素１６を備え、そのロック／回転可能化要素１６は、続いて第２の流体用容器がその後第２の構成要素１４に連結されると作動するように構成されている。例示の実施形態では、ロック／回転可能化要素１６は、第２の構成要素１４の一部を構成しており、第２の構成要素１４に対して回転不能であり摺動自在に変位することができる。ロック／回転可能化要素１６が直接または間接的に（自動または手作業で）作動しているときは、そのロック／回転可能化要素１６により、第１の構成要素１２と第２の構成要素１４とが互いに対して自由に回転することが可能になる。
【００２２】
図１〜図３を参照すると、第１の構成要素１２は、２つの高さの突出部１８ａおよび１８ｂを備える。低い方の突出部１８ｂは、第１の構成要素１２を第２の構成要素１４に回転不能に連結させるために、第２の構成要素１４のロック／回転可能化要素１６の対応するキャビティ２０内に配置されるように構成されている（それにより、第１の構成要素１２に回す力を加えると、その力がロック／回転可能化要素１６に伝達される）。高い方の突出部１８ａは、例えばスナップ嵌めした状態で、ロック／回転可能化要素１６上の（図１に示す）１列の突出部２２に隣接して配置されるように構成されている。
【００２３】
図４に、第１の構成要素１２がロック／回転可能化要素１６に連結され、低い方の突出部１８ｂがロック／回転可能化要素１６のキャビティ２０内に配置されるところを示す。
【００２４】
第２の流体用容器が第２の構成要素１４に連結されるときに、ロック／回転可能化要素１６は、図５に示す位置まで下向きに摺動自在に変位し、低い方の突出部１８ｂをキャビティ２０の外に押し出し、それにより、第１の構成要素１２とロック／回転可能化要素１６（したがって、第２の構成要素１４）とが互いに対して自由に回転することができる。
【００２５】
図６に、第１の構成要素１２が図６の矢印の方向に回転した位置にあり、ロック／回転可能化要素１６のキャビティ２０が低い方の突出部１８ｂの少し右側に配置されるところを示す。コネクタ１０が図６の矢印の方向の反対の方向に回転できるように構成されていることに留意されたい。本発明の一実施形態によれば、コネクタ１０は、第１の構成要素１２と第２の構成要素１４とが互いに対して回転できないロック解除姿勢に戻るのを防止する手段を備えることができる。例えば、図６に例示した実施形態では、コネクタ１０は、突出部１８ｂがキャビティ２０中に戻るように変位するのを防止するばね仕掛けの機構を備えることができる。
【００２６】
図７に、第１の構成要素１２と第２の構成要素１４とが互いに対して回転不能に連結されるときの、すなわち、低い方の突出部１８ｂがロック／回転可能化要素１６のキャビティ２０内に配置されるときの、第１の構成要素１２とロック／回転可能化要素１６を含む第２の構成要素１４の断面図を示す。高い方の突出部１８ａは、ロック／回転可能化要素１６の突出部２２に寄りかかっている。図７に示すコネクタは、低い方の突出部１８ｂのすぐ下にスロット２４を備える。
【００２７】
ロック／回転可能化要素１６は、作動するときに、図７の下向きに、図８に示す姿勢まで変位する。この姿勢では、低い方の突出部１８ｂは、スロット２４内に配置され、高い方の突出部１８ａは、もはやロック／回転可能化要素１６の突出部２２に寄りかかっていない。したがって、第１の構成要素１２は、ロック／回転可能化要素１６に対して、したがって、第２の構成要素１４に対して自由に回転することができる。さらに、ロック／回転可能化要素１６の突出部２２は今や上の方の突出部１８ａと下の方の突出部１８ｂとの間に配置されているので、第１の構成要素１２は、常時、第２の構成要素１４に連結されたままになり、好ましくは、コネクタ１０を破壊することなく、過剰な力を用いることなく、またはコネクタ１０を誤用することなく、そこから分離されることはない。例示の実施形態では、第２の構成要素１４はメンブレン２６を備え、そのメンブレン２６を、第２の流体用容器と第２の構成要素１４との間で漏出させずに確実に流体を移送するように、針保護具など、第２の流体用容器のメンブレンに対して密着して並置して配置することができる。
【００２８】
図１〜図８に示すコネクタの実施形態では、ロック／回転可能化要素１６は、第２の流体用容器が第２の構成要素１４に連結されるときに直接かつ自動的に作動するように構成されている。すなわち、第２の流体用容器を第２の構成要素１４に連結すると、ロック／回転可能化要素１６が長手方向に（図１〜図８の下向きに）摺動自在に変位して、第１の構成要素１２を第２の構成要素１４に対して自由に回転可能にさせることができる。あるいは、このように摺動自在な変位は、例えば、第２の流体用容器が第２の構成要素１４に連結されると、ユーザがコネクタ側のレバーを手作業で作動させ、そのレバーがロック／回転可能化要素１６を作動させることによって実現することができる。
【００２９】
図９に、スナップ嵌め機構１７を備えるコネクタ１０を示す。図１０に、第２の構成要素１４を、第２の流体用容器中にねじ込まれるように構成できることを示す。第１の構成要素１２を、第１の流体用容器中に摺動するかまたはねじ込まれるように構成できることにも留意されたい。さらに、第１の構成要素１２を、第２の構成要素１４中に摺動するかまたはねじ込まれるように構成することができ、ロック／回転可能化要素１６を、線形に、非線形に、または回転可能に変位するように構成することができる。
【００３０】
図１１に、本発明に従って一体形成されたコネクタ１０を備える第１の流体用容器２８、すなわち、輸液バッグを示す。あるいは、こうしたコネクタ１０を、標準的な輸液バッグの輸液ポートまたは注入ポートに一時的にまたは常時連結されるように構成することができる。
【００３１】
図１２に、本発明に従って一体形成されたコネクタ１０の第１の構成要素１２を備える第１の流体用容器２８、すなわち、輸液バッグを示す。あるいは、こうした第１の構成要素１２を、標準的な輸液バッグの輸液ポートまたは注入ポートに一時的にまたは常時連結されるように構成することができる。
【００３２】
特許請求項の範囲内に包含される本発明の他の改変形態が当業者には明らかである。例えば、第１の構成要素１２および第２の構成要素１４は、任意の２つの入れ物の間を連結することができ、それらの入れ物の間を流体が移送されることが望ましい。第１の構成要素１２を、任意の適切な方式で第２の構成要素１４（またはロック／回転可能化要素１６など、その一部分）に連結されるように構成することができる。第２の流体用容器および／または医療用容器がコネクタに連結されるときにコネクタ１０の第１の構成要素１２と第２の構成要素１４とを互いに自由に回転できるようにするロック／回転可能化要素１６の設計および構成には多くの手法がある。図に示す設計および構成は、本発明の原理を例示するために、単にこのような一例を提示するだけである。さらに、第２の流体用容器および／または第１の流体用容器をコネクタ１０に連結することで直接作動するロック／回転可能化要素１６を製造する方が簡単であるが、コネクタは、間接的に自動または手作業でロック／回転可能化要素１６を作動させる追加の機構を備えることができることに留意されたい。
【図１】
2013526398.tif 000003
【図２】
2013526398.tif 000004
【図３】
2013526398.tif 000005
【図４】
2013526398.tif 000006
【図５】
2013526398.tif 000007
【図６】
2013526398.tif 000008
【図７】
2013526398.tif 000009
【図８】
2013526398.tif 000010
【図９】
2013526398.tif 000011
【図１０】
2013526398.tif 000012
【図１１】
2013526398.tif 000013
【図１２】
2013526398.tif 000014
【国際調査報告】
2013526398.tif 000015
2013526398.tif 000016
2013526398.tif 000017
2013526398.tif 000018